(57)【要約】【課題】  穴加工を少なくし、花立て容器の挿入を容易にできて、花鉢の取り換えが簡単にできるようにする。【解決手段】  花鉢９の開口径よりも小径で、且つ、切花１０ａの花立て容器８を安定支持できる深さを有する挿入穴４を花立て台本体１に形成し、さらに、花立て台本体１の挿入穴４に挿脱可能な外径、及び、花立て容器８が挿脱可能な内径を有する筒状部６と、該筒状部６の開口周縁部に形成されたフランジ部７とを花立て容器台５に設け、切花１０ａ、切花１０が生けられた花立て容器８、花１０ｂが植え込まれた花鉢９を飾るようにし、加えて、花立て台本体１の基底部２の側面に葉の装飾部材１１ａを接着すると共に、花立て台本体１の胴部３の側面に花の装飾部材１１ｂを接着する。【選択図】    図１
0003104578.tif 000002
【実用新案登録請求の範囲】
【請求項１】
切花、該切花が生けられた花立て容器、花が植え込まれた花鉢を飾ることのできる花立て台であって、有底筒形状の花立て台本体と、該花立て台本体に嵌脱可能な略筒形状の花立て容器台とを備え、花立て台本体には、花鉢の開口端部の外径よりも小径で、且つ、花立て容器を安定支持できる深さを有する挿入穴が形成され、さらに、花立て容器台には、花立て台本体の挿入穴に挿脱可能な外径、及び、花立て容器が挿脱可能な内径を有する筒状部と、該筒状部の開口周縁部に形成されたフランジ部とが設けられてなることを特徴とする花立て台。
【請求項２】
花立て台本体の側面には、装飾部材が接着されてなることを特徴とする請求項１に記載の花立て台。
【請求項３】
花立て台本体が、墓石に固着される横長の基底部と、挿入穴を有する縦長の胴部とが一体に形成されて構成され、さらに、装飾部材が、花立て台の基底部の側面に接着される葉と、花立て台の胴部の側面に接着される花とから構成されてなることを特徴とする請求項２に記載の花立て台。
【考案の詳細な説明】
【技術分野】
【０００１】
本考案は、切花、切花が生けられた花立て容器、花が植え込まれた花鉢を飾ることのできる花立て台に関する。
【背景技術】
【０００２】
従来の花立て台は、大径の花鉢用挿入穴が花立て石の上端面の中央部に形成されると共に、小径の切花兼花立て容器用挿入穴が、該花鉢用挿入穴の底面の中央部に形成されているものが公知になっている。（例えば、特許文献１参照）。
【０００３】
そして、花鉢を花立て台に飾る場合には、花鉢を、花立て台の上部の花鉢用挿入穴に挿入する。この場合、花鉢用挿入穴の大きさが、挿入された花鉢が隠れる大きさを有しているため、花鉢は花鉢用挿入穴に隠れてしまい、外観視できないようになっている。
【０００４】
さらに、切花、又は、切花が生けられた花立て容器を花立て台に飾る場合には、切花、又は、花立て容器を、花立て台の下部の切花兼花立て容器用挿入穴に挿入する。この場合、切花兼花立て容器用挿入穴の深さが、花立て容器の深さの１/２になっていることから、切花、又は、花立て容器を安定した状態で支持できる。
【特許文献１】実用新案登録第３０５３３６４号公報（第１―４頁、図１乃至図４）
【考案の開示】
【考案が解決しようとする課題】
【０００５】
しかしながら、従来の花立て台は、花鉢用挿入穴と、切花兼花立て容器用挿入穴とが連続して形成されているため、穴加工に手間がかかる。
【０００６】
しかも、花立て台の切花兼花立て容器用挿入穴が花鉢用挿入穴の底面の中央部に形成されているため、花立て容器の挿入の際、挿入位置を確認しながら挿入しなければならないという問題がある。
【０００７】
さらに、花鉢用挿入穴の大きさが、挿入された花鉢が隠れる大きさを有しているため、花鉢を取り換える際、花立て台の開口部と花鉢の外周部との隙間に指を挿入する必要があり、花鉢の取出しが困難であるという問題もある。
【０００８】
そこで、本考案は上記問題点に鑑み、穴加工を少なくし、花立て容器の挿入を容易にできて、花鉢の取り換えが簡単にできる花立て台を提供することを目的とする。
【課題を解決するための手段】
【０００９】
上記課題を解決するために、本考案の花立て台は、請求項１に示す如く、切花、該切花が生けられた花立て容器、花が植え込まれた花鉢を飾ることのできる花立て台であって、有底筒形状の花立て台本体と、該花立て台本体に嵌脱可能な略筒形状の花立て容器台とを備え、花立て台本体には、花鉢の開口端部の外径よりも小径で、且つ、花立て容器を安定支持できる深さを有する挿入穴が形成され、さらに、花立て容器台には、花立て台本体の挿入穴に挿脱可能な外径、及び、花立て容器が挿脱可能な内径を有する筒状部と、該筒状部の開口周縁部に形成されたフランジ部とが設けられてなるものである。
【００１０】
したがって、切花を花立て台に飾る場合には、花立て容器台を花立て台に嵌めた状態で生ける。この場合、花立て台本体に生けられた切花は、茎の下部が束ねられた状態で支持されるため、花の部位側に向かうに従って広がりを持つことになるが、花立て容器台の筒状部の内周面によって切花の広がりが抑制され、安定した状態で支持されることになる。
【００１１】
しかも、切花が生けられた花立て容器を花立て台に飾る場合には、切花の場合と同様に、花立て容器台を花立て台に嵌めた後、花立て容器を花立て容器台に挿入する。この際、花立て容器台のフランジ部が花立て台の開口端面に当接することによって、花立て容器の挿入位置が花立て台の開口部の真上に位置することになり、花立て容器が簡単に挿入できる。
【００１２】
さらに、花が植え込まれた花鉢を花立て台に飾る場合には、花立て容器台を花立て台から取り外した状態、即ち花立て台本体の挿入穴に直接挿入する。この際、花鉢の開口端部の外径よりも花立て台本体の挿入穴の内径が小さいため、花鉢を花立て台本体の挿入穴に挿入するだけで、花鉢を花立て台本体に容易に飾ることができる。
【００１３】
加えて、花鉢の開口端部の外径よりも花立て台本体の挿入穴の内径が小さいことから、花鉢の開口端部が外部に臨出することになり、花鉢が把持しやすくなって花鉢の取り換えが簡単に行える。
【００１４】
また、請求項２に示す如く、装飾部材を花立て台本体の側面に接着するようにしたものである。
【００１５】
装飾部材としては、例えば、観音像や天上界を彫刻することで、恰も故人が観音像や天上人に見守られているような雰囲気を醸し出せるようにしてもよい。また、各宗派の御真言を彫刻するようにしてもよい。さらに、材質としては、主として石材を使用するが、ステンレスやアルミなどの金属材料であってもよいし、耐水性や耐候性に優れた合成樹脂材であってもよい。なお、ここでいう花立て台本体の側面とは、例えば、花立て台本体の形状が有底四角筒形状であれば、前後左右の各側面のいずれに装飾部材を接着するようにしてもよい。但し、墓参者に対して正面に位置する側面に接着することが好ましい。また、花立て台本体の形状が有底円筒形状であれば、側面（周面）全体に装飾部材を接着するようにしてもよい。
【００１６】
さらに、請求項３に示す如く、墓石に固着される横長の基底部と、挿入穴を有する縦長の胴部とを一体に形成して花立て台本体を構成し、さらに、花立て台の基底部の側面に接着される葉と、花立て台の胴部の側面に接着される花とから装飾部材を構成するようにしてもよい。
【００１７】
そうすれば、切花、切花が生けられた花立て容器、花が植え込まれた花鉢を花立て台本体に飾らなくても、花立て台自体が花の模造となるため、故人が常に花で囲まれるようになる。
【考案の効果】
【００１８】
以上説明したように、本考案の花立て台は、有底筒形状の花立て台本体と、該花立て台本体に嵌脱可能な略筒形状の花立て容器台とを備え、花鉢の開口径よりも小径で、且つ、切花の花立て容器を安定支持できる深さを有する挿入穴を花立て台本体に形成するようにしたので、花鉢と花立て容器とを兼用して飾るのに有効である。
【００１９】
花立て台本体の挿入穴に挿脱可能な外径、及び、花立て容器が挿脱可能な内径を有する筒状部と、該筒状部の開口周縁部に形成されたフランジ部とを花立て容器台に設けるようにしたので、花立て容器の挿入しやすい位置を確保できる。
【００２０】
また、装飾部材を花立て台本体の側面に接着するようにしたので、花立て台本体を好みに応じて装飾できるようになると共に、外観が良好になる。
【００２１】
さらに、墓石に固着される横長の基底部と、挿入穴を有する縦長の胴部とを一体に形成して花立て台本体を構成し、さらに、花立て台の基底部の側面に接着される葉と、花立て台の胴部の側面に接着される花とから装飾部材を構成するようにしたので、花立て台本体を、基底部と胴部とによって装飾できる効果がある。
【考案を実施するための最良の形態】
【００２２】
本考案を実施するための最良の形態につき、図１〜図５を参照して説明する。
まず、本考案の花立て台は、図１〜図３に示すように、略四角柱形状の花立て台本体１と、該花立て台本体１に嵌脱可能な略円筒形状の花立て容器台５と、花立て台本体１の正面の下部に接着された葉の装飾部材１１ａと、花立て台本体１の正面の上部に接着された花の装飾部材１１ｂとから構成されている。
【００２３】
花立て台本体１は、墓石（図示せず）に固着される横長の基底部２と、その軸線に沿って形成された断面円形状の挿入穴４を有する縦長の胴部３とが一体に形成されて構成されている。そして、花立て台本体１の基底部２と胴部３との境界部位には括れ１ａが形成されていると共に、花立て台本体１の基底部２と胴部３の四つの角部には円弧面が形成されている。さらに、花立て台本体１の挿入穴４の開口周縁部には環状の突縁部１ｂが形成されている。加えて、花立て台本体１の胴部３の背面から挿入穴４の底部にかけて水抜き穴４ａが穿設されている。なお、この水抜き穴４ａは、花立て台本体１の胴部３の正面を除く左右の側面、背面のいずれに穿設されてあってもよい。
【００２４】
花立て容器台５は、花立て台本体１の挿入穴４に挿脱可能な外径、及び、切花１０ａの花立て容器８が挿脱可能な内径を有する筒状部６と、該筒状部６の開口周縁部に形成されたフランジ部７とが設けられている。
【００２５】
そして、花立て台本体１の基底部２の葉の装飾部材１１ａと、花立て台本体１の括れ１ａ（茎の模造）と、花立て台本体１の胴部３の花の装飾部材１１ｂとによって、切花１０ａや花鉢９が無くても、花立て台本体１のみで模造された花となっている。
【００２６】
つぎに花立て台の使用態様について説明する。まず、切花１０ａが生けられた花立て容器８を花立て台に飾る場合には、図４に示すように、花立て容器台５を花立て台本体１の挿入穴４に嵌めた後、花立て容器台５の筒状部６に花立て容器８を挿入する。そうすれば、花立て容器８を花立て台本体１に容易に挿入できると共に、花立て容器８の下部が安定した状態で支持される。
【００２７】
つぎに、花１０ｂが植え込まれた花鉢９を花立て台に飾る場合には、図５に示すように、花立て台本体１の挿入穴４に花鉢９を直接挿入するだけでよく、花鉢９の鍔部９ａが花立て台本体１の突縁部１ｂの端面に当接し、花鉢９の鍔部９ａが外部に臨出した状態で支持されることになる。よって、花鉢９の取り換えが容易に行える。
【００２８】
さらに、切花１０ａを花立て台に飾る場合には、花立て容器台５を花立て台本体１の挿入穴４に嵌めた状態で、切花１０ａを生ける。そうすれば、花立て容器台５の筒状部６によって切花１０ａが略直立した状態で支持される。
【００２９】
なお、前記実施形態の場合、花立て台本体１は略四角柱形状としたが、断面円形状、断面楕円形状、断面多角形状、樽形状の有底筒形状であってもよい。
【００３０】
また、前記実施形態の場合、葉の装飾部材１１ａ、花の装飾部材１１ｂを花立て台本体１の側面に接着するようにしたが、これらに限定されるものではなく、故人の肖像、家紋であってもよい。
【００３１】
さらに、前記実施形態の場合、花立て台本体１、花立て容器台５、装飾部材１１ａ、１１ｂにおいて、使用する石材を限定していないが、装飾性に富んだ石材を使用するのが望ましい。
【産業上の利用可能性】
【００３２】
本考案の花立て台は、切花と花鉢とを兼用して飾ることができるため、水枯れしやすく、水が腐って悪臭の発生しやすい夏季に有効利用できると考えられる。また、人の墓石にだけではなく、ペットの墓石にも有効利用できる。
【図面の簡単な説明】
【００３３】
【図１】本考案の花立て台の側断面図である。
【図２】図１の花立て容器台の斜視図である。
【図３】図１の花立て台本体の斜視図である。
【図４】花立て容器を実装した状態の縦断面図である。
【図５】花鉢を実装した状態の縦断面図である。
【符号の説明】
【００３４】
１  花立て台本体
１ａ  括れ
１ｂ  突縁部
２  基底部
３  胴部
４  挿入穴
４ａ  水抜き穴
５  花立て容器台
６  筒状部
７  フランジ部
８  花立て容器
９  花鉢
９ａ  鍔部
１０ａ  切花
１０ｂ  花
１１ａ  装飾部材
１１ｂ  装飾部材
【図１】
0003104578.tif 000003
【図２】
0003104578.tif 000004
【図３】
0003104578.tif 000005
【図４】
0003104578.tif 000006
【図５】
0003104578.tif 000007